(57)【特許請求の範囲】
【請求項１】
目的物の表面に固定される被固定物に設けられた下穴と、
該下穴の周囲に形成されるとともに内周面にプラグが締結される雌ねじを有し、かつ、底面が円筒内面形状または内球面形状を有する座ぐりと、
前記下穴を貫通して前記目的物に締結されるスクリュに設けられ、前記座ぐりの底面と相補的な形状の肩部を有するヘッドと、
該ヘッドと前記プラグとの間に挟まれるスペーサを備え、
該スペーサが、相対的に傾斜する両端面を有する楔形状に形成され、
楔形状の前記スペーサが厚さ方向に複数重ねて配置されている固定構造。
【請求項２】
前記目的物が骨であり、前記被固定物が骨プレートである請求項１に記載の固定構造。
【請求項３】
前記スペーサに半径方向外方に突出する突起が設けられ、
前記座ぐりに、前記突起を収容して前記スペーサの前記座ぐりに対する周方向の回転を係止する溝が設けられている請求項１に記載の固定構造。
【請求項４】
前記座ぐりに、半径方向内方に突出する突起が設けられ、
前記スペーサに、前記突起を収容して前記スペーサの前記座ぐりに対する周方向の回転を係止する溝が設けられている請求項１に記載の固定構造。
【請求項５】
前記溝が周方向に間隔をあけて複数設けられている請求項３または請求項４に記載の固定構造。
【請求項６】
骨の表面に沿って配置され、下穴と、該下穴の周囲に形成され内周面に雌ねじを有する座ぐりとが設けられ、該座ぐりの底面が、円筒内面形状または内球面形状を有する骨プレートと、
前記座ぐりの底面と相補的な形状の肩部を有するヘッドを有し、前記骨プレートの下穴を貫通して該骨プレートを前記骨に固定するスクリュと、
前記雌ねじに締結されて前記スクリュを固定するプラグと、
前記ヘッドと前記プラグとの間に挟まれ、両端面が相対的に傾斜する楔形状に形成されたスペーサと、
該スペーサを前記プラグに取り付け状態に保持し、前記プラグの締結時に、該プラグに対する前記スペーサの相対回転を許容する仮固定手段とを備える骨プレートキット。
【請求項７】
前記スペーサに半径方向外方に突出する突起が設けられ、
前記座ぐりに、前記突起を収容して前記スペーサの前記座ぐりに対する周方向の回転を係止する溝が設けられている請求項６に記載の骨プレートキット。
【請求項８】
前記座ぐりに、半径方向内方に突出する突起が設けられ、
前記スペーサに、前記突起を収容して前記スペーサの前記座ぐりに対する周方向の回転を係止する溝が設けられている請求項６に記載の骨プレートキット。
【請求項９】
前記溝が周方向に間隔をあけて複数設けられている請求項７または請求項８に記載の骨プレートキット。
【請求項１０】
楔形状の前記スペーサを厚さ方向に重ねて複数備える請求項７に記載の骨プレートキット。
【請求項１１】
前記仮固定手段が、接着剤である請求項６に記載の骨プレートキット。
【請求項１２】
前記仮固定手段が、前記プラグの端面の中央に設けられた円筒状の凸部と、前記スペーサに設けられ前記凸部の外径寸法より若干小さい内径寸法を有する嵌合孔とを備え、
前記スペーサが、その外縁から前記嵌合孔まで半径方向に切断する切り込みによってＣリング状に形成されている請求項６に記載の骨プレートキット。
【請求項１３】
前記凸部の基端側に、前記スペーサの嵌合孔の内径寸法より若干小さい外径寸法の小径部が設けられている請求項１２に記載の骨プレートキット。
【発明の詳細な説明】
【技術分野】
【０００１】
本発明は、固定構造および骨プレートキットに関するものである。
【背景技術】
【０００２】
従来、骨プレートの固定構造として、テーパねじを有するプレート穴を有し、該プレート穴が周方向に間隔をあけて３つの凹みを有するものが採用されている（例えば、特許文献１参照。）。この固定構造によれば、凹みを隔てて離れた３箇所のテーパねじ部分において、異なるねじ山にスクリュのヘッドに設けた雄ねじを締結することにより、骨プレートに対して任意の方向にスクリュを傾斜させて固定することができるようになっている。
【先行技術文献】
【特許文献】
【０００３】
【特許文献１】特表２００７−５０６４５０号公報
【発明の概要】
【発明が解決しようとする課題】
【０００４】
しかしながら、特許文献１の固定構造では、骨プレートに設けたテーパねじとスクリュのヘッドに設けた雄ねじとの噛み合いは、骨プレートに対するスクリュの傾斜角度が増加するほど悪化し、固定力が低下していくという不都合がある。特に、特許文献１の固定構造では、全周の３分の１未満の領域において１山強のねじ山が確実に係合しているに過ぎず、比較的大きな荷重が加わる大腿骨や頸骨の固定用には適用することができないという問題がある。
【０００５】
本発明は、上述した事情に鑑みてなされたものであって、被固定物に対して傾斜させた状態で目的物に固定されるスクリュを、より確実に被固定物に固定することができ、荷重が高い部位にも適用可能な固定構造および骨プレートキットを提供することを目的としている。
【課題を解決するための手段】
【０００６】
上記目的を達成するために、本発明は以下の手段を提供する。
本発明は、目的物の表面に固定される被固定物に設けられた下穴と、該下穴の周囲に形成されるとともに内周面にプラグが締結される雌ねじを有し、かつ、底面が円筒内面形状または内球面形状を有する座ぐりと、前記下穴を貫通して前記目的物に締結されるスクリュに設けられ、前記座ぐりの底面と相補的な形状の肩部  を有するヘッドと、該ヘッドと前記プラグとの間に挟まれるスペーサを備え、該スペーサが、相対的に傾斜する両端面を有する楔形状に形成され、楔形状の前記スペーサが厚さ方向に複数重ねて配置されている固定構造を提供する。
【０００７】
本発明によれば、目的物の表面に被固定物を配置し、被固定物に設けられた下穴を貫通してスクリュを目的物に締結していくと、スクリュに設けたヘッドの肩部が下穴の周囲に設けられた座ぐりの底面に突き当たる。座ぐりの底面は円筒内面形状または内球面形状を有しており、肩部は座ぐりの底面と相補的な形状を有しているので、スクリュは肩部と座ぐりの底面とを密着させた状態を維持しつつ被固定物に対する角度を変更することができる。そして、例えば、スクリュのヘッドとプラグとの間に楔形状のスペーサを挟み、あるいは、ヘッドの端面に傾斜面を設けておき、座ぐりの内周面に設けられた雌ねじにプラグを締結していくことにより、プラグによってヘッドを押圧してスクリュを被固定物に対して固定することができる。
【０００８】
この場合において、本実施形態によれば、プラグは座ぐりの内周面に設けた雌ねじに全周にわたって、かつ、複数ねじ山にわたって確実に噛み合って締結されるので、十分な固定力を得ることができる。すなわち、被固定物に対して傾斜した状態で目的物に締結されたスクリュを、プラグによってその傾斜した状態で確実に被固定物に固定することができる。
また、前記ヘッドと前記プラグとの間に挟まれるスペーサを備え、該スペーサが、相対的に傾斜する両端面を有する楔形状に形成されていることで、ヘッドとプラグとの間にスペーサの傾斜方向を調節して挟み、プラグを締結していくだけで、目的物に締結されたスクリュを、プラグによってその傾斜した状態で確実に被固定物に固定することができる。スクリュとしては、長手軸に対して端面が直交するヘッドを有するものを用意すれば足り、楔形状のスペーサの傾斜角度の異なるものを選択することで、被固定物に対するスクリュの傾斜角度を適宜変更することができる。
さらに、スペーサが厚さ方向に複数重ねて配置されることで、厚さ方向に重ねた複数のスペーサの相対的な回転角度を変化させることにより、スクリュの傾斜角度を連続的に変化させることができる。この構造によれば、より自由にスクリュの傾斜角度を設定することができる。
【０００９】
上記発明においては、前記目的物が骨であり、前記被固定物が骨プレートであることとしてもよい。
このようにすることで、骨の表面に骨プレートを配置し、骨プレートに設けられた下穴を貫通してスクリュを骨に締結していくと、スクリュに設けたヘッドの肩部が下穴の周囲に設けられた座ぐりの底面に突き当たる。円筒内面と円筒面、内球面と球面のように相互に相補的な形状を有するヘッドの肩部と座ぐりの底面とは、骨プレートに対して傾斜した方向にスクリュを締結したとしても、相互に密着させ、プラグによってスクリュを骨プレートに対して固定することができる。
【００１０】
すなわち、本実施形態によれば、プラグは座ぐりの内周面に設けた雌ねじに全周にわたって、かつ、複数ねじ山にわたって確実に噛み合って締結されるので、十分な固定力を得ることができる。これにより、骨プレートに対して傾斜した状態で骨に締結されたスクリュを、プラグによってその傾斜した状態のままで確実に骨プレートに固定することができる。
【００１２】
また、上記発明においては、前記スペーサに半径方向外方に突出する突起が設けられ、前記座ぐりに、前記突起を収容して前記スペーサの前記座ぐりに対する周方向の回転を係止する溝が設けられていてもよい。
このようにすることで、スペーサに設けられた突起を座ぐりの溝に挿入した状態で、座ぐりの雌ねじにプラグを締結していくと、座ぐり内においてスペーサを回転させることなくプラグを締結していくことができる。これにより、スペーサに設けられた傾斜面の方向を変化させずに済むので、所望の方向にスクリュを傾斜させた状態で固定することができる。
【００１３】
また、上記発明においては、前記座ぐりに、半径方向内方に突出する突起が設けられ、前記スペーサに、前記突起を収容して前記スペーサの前記座ぐりに対する周方向の回転を係止する溝が設けられていてもよい。
このようにすることで、スペーサに設けられた溝を座ぐりの突起に位置合わせした状態で、座ぐりの雌ねじにプラグを締結していくと、座ぐり内においてスペーサを回転させることなくプラグを締結していくことができる。これにより、スペーサに設けられた傾斜面の方向を変化させずに済むので、所望の方向にスクリュを傾斜させた状態で固定することができる。
【００１４】
また、上記発明においては、前記溝が周方向に間隔をあけて複数設けられていてもよい。
このようにすることで、突起を挿入する溝を変更することにより、スペーサに設けられた傾斜面の方向を変更することができる。スクリュを傾斜させたい方向に合わせて突起を挿入する溝を選ぶだけで、種々の方向に傾斜させた状態でスクリュを固定することができる。
【００１６】
また、本発明は、骨の表面に沿って配置され、下穴と、該下穴の周囲に形成され内周面に雌ねじを有する座ぐりとが設けられ、該座ぐりの底面が、円筒内面形状または内球面形状を有する骨プレートと、前記座ぐりの底面と相補的な形状の肩部を有するヘッドを有し、前記骨プレートの下穴を貫通して該骨プレートを前記骨に固定するスクリュと、前記雌ねじに締結されて前記スクリュを固定するプラグと、前記ヘッドと前記プラグとの間に挟まれ、両端面が相対的に傾斜する楔形状に形成されたスペーサと、該スペーサを前記プラグに取り付け状態に保持し、前記プラグの締結時に、該プラグに対する前記スペーサの相対回転を許容する仮固定手段とを備える骨プレートキットを提供する。
【００１７】
本発明によれば、プレートを骨の表面に沿って配置し、プレートに対して所望の角度で傾斜させたスクリュをプレートの下穴に貫通させて骨に締結していくと、スクリュのヘッドに設けられた肩部が、下穴の周囲に設けられた座ぐりの底面を押圧することで、プレートを骨の表面に固定することができる。座ぐりの底面は円筒内面形状または内球面形状を有し、肩部とはその相補的な形状を有しているので、プレートに対するスクリュの傾斜角度に拘わらず、肩部と座ぐりの底面とを密着させることができる。そして、スクリュのヘッドに設けられた傾斜面が下穴の軸線に直交するように配置した状態で、ヘッドとプラグとの間に傾斜方向を調節したスペーサを配置して、座ぐりの内周面に設けられた雌ねじにプラグを締結していくことにより、スペーサを介してプラグによってスクリュを押圧し、スクリュをプレートに対して傾斜した状態で固定することができる。
また、仮固定手段を備えることで、プラグとスペーサとが仮固定された一体的な状態で取り扱うことができ、取り扱い性を向上することができる。スペーサ付きのプラグを座ぐりの雌ねじに締結していくと、締結の途中においてスペーサの仮固定が外れ、スペーサをスクリュのヘッドの端面に密着させた状態に留めつつ、プラグを締結していくことができる。
【００１８】
上記発明においては、前記スペーサに半径方向外方に突出する突起が設けられ、前記座ぐりに、前記突起を収容して前記スペーサの前記座ぐりに対する周方向の回転を係止する溝が設けられていてもよい。
【００１９】
また、上記発明においては、前記座ぐりに、半径方向内方に突出する突起が設けられ、前記スペーサに、前記突起を収容して前記スペーサの前記座ぐりに対する周方向の回転を係止する溝が設けられていてもよい。
また、上記発明においては、前記溝が周方向に間隔をあけて複数設けられていてもよい。
また、上記発明においては、楔形状の前記スペーサを厚さ方向に重ねて複数備えていてもよい。
【００２１】
また、上記発明においては、前記仮固定手段が、接着剤であってもよい。
接着剤によってプラグとスペーサとを簡易に仮固定し、プラグの締結時には、接着剤による仮固定を解除してプラグの独立した回転を許容することができる。
【００２２】
また、上記発明においては、前記仮固定手段が、前記プラグの端面の中央に設けられた円筒状の凸部と、前記スペーサに設けられ前記凸部の外径寸法より若干小さい内径寸法を有する嵌合孔とを備え、前記スペーサが、その外縁から前記嵌合孔まで半径方向に切断する切り込みによってＣリング状に形成されていてもよい。
このようにすることで、Ｃリング状のスペーサの嵌合孔をプラグの端面の凸部に嵌合させて、スペーサをプラグに摩擦によって仮固定することができる。
【００２３】
また、上記発明においては、前記凸部の基端側に、前記スペーサの嵌合孔の内径寸法より若干小さい外径寸法の小径部が設けられていてもよい。
このようにすることで、小径部を逃げとして使用することができ、スペーサをプラグの端面に密着させることができる。
【発明の効果】
【００２４】
本発明によれば、被固定物に対して傾斜させた状態で目的物に固定されるスクリュを、より確実に被固定物に固定することができ、荷重が高い部位にも適用することができるという効果を奏する。
【図面の簡単な説明】
【００２５】
【図１】本発明の一実施形態に係る固定構造および骨プレートキットを示す部分的な縦断面図である。
【図２】図１の骨プレートキットの骨プレートに設けた座ぐりを示す平面図である。
【図３】図１の骨プレートキットのスペーサを示す斜視図である。
【図４】図１の骨プレートキットにより骨プレートを骨に固定する作業を説明する部分的な分解縦断面図である。
【図５】図１の骨プレートキットのプラグの変形例を示す部分的な縦断面図である。
【発明を実施するための形態】
【００２６】
本発明の一実施形態に係る固定構造および骨プレートキットについて図面を参照して以下に説明する。
本実施形態に係る固定構造は骨プレート１の固定構造である。本実施形態に係る骨プレートキット２は、図１に示されるように、骨Ａの表面に沿って配置される骨プレート１と、該骨プレート１を骨Ａに固定するスクリュ３と、スクリュ３を骨プレート１に固定するプラグ４と、該プラグ４とスクリュ３との間に挟まれるスペーサ５とを備えている。
【００２７】
本実施形態に係る固定構造は、骨プレート１に設けられた下穴６と、該下穴６に設けられた座ぐり７と、スクリュ３に設けられたヘッド８とにより構成されている。
すなわち、座ぐり７は、下穴６の周囲に設けられているとともに、その底面７ａが内球面形状を有している。座ぐり７の内周面には、図２に示されるように、雌ねじ７ｂが形成されている。座ぐり７には周方向に間隔をあけて、長手方向に延びる２つの溝９が設けられている。
【００２８】
スクリュ３は、下穴６を貫通可能な下穴６より若干小さい外径寸法のねじ部３ａを備えている。
ヘッド８は、該ネジ部３ａの端部に配置され、ねじ部３ａより大きな外径寸法を有している。また、ヘッド８は、座ぐり７の底面７ａと相補的な形状、すなわち、略半球面形状の肩部８ａを有している。
【００２９】
また、ヘッド８の端面は、ねじ部３ａの長手軸に略直交しており、スクリュ３を長手軸回りに回転させて骨Ａに締結する際に工具を挿入するための六角孔１０と、プラグ４の先端部を挿入させる凹部１１とが設けられている。
プラグ４は、座ぐり７の内周面に設けられた雌ねじ７ｂに締結される雄ねじ４ａと、スクリュ３のヘッド８の凹部１１内に挿入される凸部４ｂとを備えている。
【００３０】
スペーサ５は、図３に示されるように、プラグ４の凸部４ｂにしまり嵌め状態に嵌合する嵌合孔５ａを中央に有する円環状の部材であって、その一部が切り欠かれて略Ｃ字状に形成されている。切欠５ｂを設けることによって、スペーサ５はその弾性により、嵌合孔５ａに嵌合したプラグ４の凸部４ｂを締め付けるようになっている。そして、プラグ４とスペーサ５との間の静止摩擦力より大きなトルクが加わると、両者が相対回転させられるようになっている。
【００３１】
また、スペーサ５の外面には、周方向の一部に半径方向外方に延びて座ぐり７の溝９に係合する突起５ｃが設けられている。
スペーサ５は、その厚さ寸法が一方向に漸次変化することにより、一表面に対して他表面が傾斜する傾斜面５ｄを有する略楔形状に形成されている。
【００３２】
このように構成された本実施形態に係る固定構造および骨プレートキット２の作用について説明する。
本実施形態の固定構造および骨プレートキット２を用いて、骨プレート１を骨Ａの表面に固定するには、骨プレート１を骨Ａの表面に沿って配置し、骨プレート１に設けられた下穴６を貫通して配置したスクリュ３の六角孔１０に工具（図示略）を挿入し、スクリュ３を長手軸回りに回転させることにより、スクリュ３を骨Ａに締結していく。
【００３３】
この際、骨プレート１に対してスクリュ３が予め定められた傾斜角度、すなわち、使用しようとしているスペーサ５の楔形状の傾斜角度となるように、スクリュ３を下穴６に貫通させ締結していく。
スクリュ３の骨Ａへの締結が進行していき、ヘッド８の肩部８ａが座ぐり７の底面７ａに突き当たると、肩部８ａによって座ぐり７の底面７ａが押圧されることにより、骨プレート１が骨Ａの表面の方向に押し付けられていき、骨プレート１が骨Ａに固定される。
【００３４】
座ぐり７の底面７ａは内球面形状に形成され、スクリュ３の肩部８ａは座ぐり７の底面７ａと相補的な半球面形状を有しているので、骨プレート１に対するスクリュ３の傾斜角度に拘わらず、スクリュ３の肩部８ａを座ぐり７の底面７ａに密着させることができる。
この状態で、スクリュ３のヘッド８の端面８ｂは、座ぐり７の軸線に対して所定の傾斜角度で傾斜して配置されている。
【００３５】
この後に、図４に示されるように、スペーサ５の嵌合孔５ａに凸部４ｂを嵌合させてスペーサ５と一体化させられた状態のプラグ４を座ぐり７に設けられた雌ねじ７ｂに締結する。この際に、スペーサ５に設けられた突起５ｃが、座ぐり７に設けられた溝９内に配置されるように挿入してから、締結を開始する。プラグ４にトルクを加えて回転させると、スペーサ５の回転は溝９に係合した突起５ｃによって制限されるので、プラグ４とスペーサ５との間にトルクが加わり、トルクが両者の静止摩擦力を超えた時点で、スペーサ５に対してプラグ４が回転させられる。
【００３６】
スペーサ５に設けた突起５ｃは溝９内に収容されているので、スペーサ５は座ぐり７に対してその回転位置を一定に保持されたまま、深さ方向に押されていき、スクリュ３のヘッド８の端面８ｂに密着させられる。
スペーサ５はヘッド８の端面８ｂの傾斜角度と同じ傾斜角度の楔形状に形成されているので、ヘッド８の端面８ｂに密着させられると、ヘッド８の端面８ｂの傾斜を吸収して、スペーサ５の表面が座ぐり７の軸線に対して直交する方向に配されるようになる。
【００３７】
この状態で、さらにプラグ４を締結していくと、締結とともにプラグ４からスペーサ５に対して軸方向に押圧力が加えられ、スペーサ５を介して密着しているスクリュ３のヘッド８を軸方向に押圧するようになる。これにより、スクリュ３が骨プレート１に対して傾斜した状態で骨プレート１に固定される。
【００３８】
このように本実施形態に係る固定構造および骨プレートキット２によれば、プラグ４を座ぐり７の雌ねじ７ｂにしっかりと締結するので高い固定力でスクリュ３を骨プレート１に固定することができる。従来のように、スクリュ３と雌ねじ７ｂのねじ山を掛け違えることによって骨プレート１に対してスクリュ３を傾斜させる場合と比較して、高い固定力を発生することができるという利点がある。これにより、比較的大きな荷重が加わる大腿骨や頸骨の固定用にも適用することができる。
【００３９】
また、本実施形態に係る固定構造および骨プレートキット２によれば、楔形状のスペーサ５によって、スクリュ３とプラグ４との間の隙間を埋めるので、骨プレート１に対してスクリュ３がぐらつかないように固定することができる。また、使用するスペーサ５の傾斜角度を変更することにより、骨プレート１に対するスクリュ３の傾斜角度を種々設定することができる。
【００４０】
また、スペーサ５に設けた突起５ｃを座ぐり７に設けた溝９に係合させることにより、プラグ４の締結中にスペーサ５の位置ずれが発生してしまうことを防止できる。また、溝９を周方向に２カ所に設けたので、突起５ｃを係合させる溝９を変更することにより、骨プレート１に対するスクリュ３の傾斜方向を変更することができる。
【００４１】
また、本実施形態においては、スペーサ５に設けた嵌合孔５ａに切欠５ｂを設けて略Ｃ字状に形成したので、スペーサ５の弾性によってプラグ４の凸部４ｂを締め付けて、スペーサ５をプラグ４に一体化させることができる。これにより、スペーサ５を一体化したプラグ４を単一部品として取り扱うことが可能となり、取り扱い性を向上することができる。
【００４２】
なお、本実施形態においては、周方向に間隔を空けて２カ所に溝９を設けたが、これに代えて、１カ所に設けてもよいし、３カ所以上に設けることにしてもよい。また、スクリュ３のヘッド８の端面８ａにスペーサ５を回転しないように固定できれば、溝９および突起５ｃを設けなくてもよい。
【００４３】
また、座ぐり７の内周面に溝９を設け、スペーサ５に突起５ｃを設けることとしたが、これに代えて、座ぐり７に半径方向内方に突出する突起を設け、スペーサ５に該突起を係合させる切欠を設けることにしてもよい。この場合、スペーサ５に設ける切欠については、周方向に間隔を空けて複数設けることが好ましい。
【００４４】
また、本実施形態においては、スクリュ３の傾斜角度に一致する傾斜角度を有する単一のスペーサ５を使用して、スクリュ３のヘッド８の端面８ａとプラグ４との隙間を埋めることとしたが、これに代えて、２枚の楔形状のスペーサ５を重ねて使用することにしてもよい。このようにすることで、２枚のスペーサ５の相対的な位相を変化させることで、傾斜角度を連続的に変更することができる。したがって、骨プレート１に対するスクリュ３の傾斜角度を連続的に調節することが可能となり、より柔軟にスクリュ３の角度を選択して骨プレート１をより確実に固定することができる。スペーサ５は３枚以上用いてもよい。
【００４５】
また、本実施形態においては、スペーサ５の嵌合孔５ａによってプラグ４の凸部４ｂを締め付けることで、スペーサ５をプラグ４に一体化させたが、これに代えて、図５に示されるように、凸部４ｂにスペーサ５の嵌合孔５ａより小さい外径寸法の小径部４ｃを設け、該小径部４ｃに遊びを有してスペーサ５を嵌合させることにしてもよい。これにより、プラグ４とスペーサ５とを一体的に構成しつつ、プラグ４に対するスペーサ５の自由な回転を許容し、取り扱い性をさらに向上することができるという利点がある。
【００４６】
また、スペーサ５をプラグ４に摩擦によって取り付ける方法や小径部４ｃに嵌合させて取り付ける方法に代えて、接着材によって取り付けることにしてもよい。接着材としては、スペーサ５とプラグ４との間に所定のトルクがかかったときに、接着状態を解除してスペーサ５に対するプラグ４の自由な回転を許容する程度の接着力を有するものが好ましい。
【００４７】
また、スペーサ５によって傾斜面５ｄを構成することとしたが、これに代えて、スクリュ３のヘッド８の端面８ｂに一体的に傾斜面５ｄを設けることにしてもよい。また、スクリュ３のヘッド８の端面８ｂにスペーサ５を接着材により仮固定することにしてもよい。この場合、スペーサ５には突起５ｃを設けない。
【００４８】
また、本実施形態においては骨プレート１の固定構造およびこの固定構造を有する骨プレートキット２を例示して説明したが、これに限定されるものではなく、他の任意の被固定物を目標物の表面に固定する場合の固定構造として利用することにしてもよい。
また、座ぐり７の底面として内球面状のものを例示したが、これに代えて、円筒内面状のものを採用してもよい。この場合、ヘッド８の肩部８ａは円筒内面状の底面７ａと相補的な形状、すなわち半円筒面を有する形状をしていればよい。このようにすることで、円筒内面の周方向に沿って一方向に、骨プレート１に対するスクリュ３の角度を変化させることができる。
【００４９】
また、スクリュ３の軸線を座ぐり７の軸線に対して傾斜して固定する場合について例示したが、これに代えて、スクリュ３の軸線を座ぐり７の軸線に対して傾斜させずに配置することもできる。その場合には、スペーサ５としては傾斜を有しないものを使用すればよい。あるいは、スペーサ５を使用せずにプラグ４によって直接スクリュ３を押圧してもよい。
【符号の説明】
【００５０】
Ａ  骨（目的物）
１  骨プレート（被固定物）
３  スクリュ
４  プラグ
４ｂ  凸部
４ｃ  小径部
５  スペーサ
５ａ  嵌合孔（仮固定手段）
５ｂ  切欠（切り込み）
５ｃ  突起
５ｄ  傾斜面
６  下穴
７  座ぐり
７ａ  底面
７ｂ  雌ねじ
８  ヘッド
８ａ  肩部
８ｂ  端面
９  溝  
【図１】
0005517053.tif 000002
【図２】
0005517053.tif 000003
【図３】
0005517053.tif 000004
【図４】
0005517053.tif 000005
【図５】
0005517053.tif 000006